(57)【要約】【課題】券種変更などの際には、判別パラメータの変更に限らず、対応する変更前のソフトウェア及びハードウェアの変更を可能にする紙葉類処理装置を提供する。【解決手段】処理券種が入力すると、主検知制御部のＭＣＰＵ２０ａは、主制御部から送信された券種情報を記憶部２０ｂに保存し、当該保存された券種情報に基づき、各検知ユニットでの検知プログラム、検知ハードウェアを構成するＦＰＧＡプログラム及び検知パラメータで構成された検知構成データを選択する。このようにして選択された検知構成データを各検知ユニットに送信する。各検知ユニットは、主検知制御部から送信された検知構成データを記憶部に保存する。例えば、検知ユニット２１が形状検知ユニットの場合、主検知制御部の記憶部２０ｂに格納されている形状検知プログラムはＳＣＰＵプログラムエリアに保存され、ＦＰＧＡプログラムは、記憶部２１ｂ２に保存されハードウェアを構築する。【選択図】図２
2008123285.tif 000002
【特許請求の範囲】
【請求項１】
複数券種の紙葉類が一括して供給された供給部から一定の間隔で１枚ずつ取り出して搬送し、前記紙葉類を判別する紙葉類判別手段と、この紙葉類判別手段による判別結果に基づいて前記紙葉類を区分処理する紙葉類処理装置であって、
前記紙葉類判別手段は、
上位装置から送信される前記紙葉類の券種情報を受信する通信制御手段と、
この通信制御手段によって受信された前記券種情報に基づいて前記紙葉類を検知するハードウェアを生成する第１のプログラム生成データ及び当該ハードウェアを制御する第２のプログラムが含まれる検知構成データを記憶する第１の記憶手段と、
前記通信手段及び前記記憶手段を制御し、前記通信手段によって受信した前記券種情報に基づいて前記第１の記憶手段から当該券種情報に基づく前記検知構成データを選択し、この検知構成データを送信する第１の制御手段と、
この第１の制御手段が送信する前記検知構成データを受信し、この受信データを展開して前記紙葉類を検知する検知手段と、
を備えたことを特徴とする紙葉類処理装置。
【請求項２】
前記検知手段は、
前記第１の制御手段から送信された前記検知構成データを保存する第２の記憶手段と、
この第２の記憶手段に記憶された前記構成データの前記第１のプログラムに基づいて生成可能なハードウェア手段と、
前記第２の記憶手段に記憶された前記検知構成データの前記第２のプログラムに基づいて動作する第２の制御手段と、
を備えたことを特徴とする紙葉類処理装置。
【請求項３】
前記検知手段を複数備え、
前記検知構成データに応じて前記複数の検知手段で前記紙葉類を検知するようにしたことを特徴とする紙葉類処理装置。
【発明の詳細な説明】
【技術分野】
【０００１】
本発明は、有価証券などの紙葉類を紙葉類判別手段によって判別処理する紙葉類処理装置に関し、特に前記紙葉類判別手段のハードウェア及びソフトウェアを変更可能な紙葉類処理装置に関する。
【背景技術】
【０００２】
有価証券などの紙葉類を処理する紙葉類処理装置は、処理単位に応じて一括して投入された紙葉類束から取出装置によって紙葉類を１枚ずつ取出して搬送し、搬送状態検知装置及び紙葉類判別装置によって紙葉類を判別する。
【０００３】
搬送状態検知装置は、取出装置によって取り出された紙葉類の搬送状態を検知し、搬送異常券や２枚取り券を検知した場合には排除券として排除券集積装置に集積する。
【０００４】
紙葉類判別装置は、紙葉類の判別装置によって当該紙葉類の種類（以下、券種と称する。）判別、搬送方向判別、真偽判別（真券か偽券か）及び正損判別（真券で再流通可能な正券か真券で再流通不可能な損券か）を行い、正券、損券及び排除券に区分する。
【０００５】
このようにして区分された紙葉類は、処理単位区分ごとに集積され又は集積・施封されていた。例えば、処理単位が１０００枚で１００枚区分を行う場合は、集積装置の一時集積庫に正券が１００枚集積されるごとに区分され紙帯を用いて施封装置によって施封される。施封の必要のない券種は、集積装置に集積されるとそのまま集積カセットに集積される。
【０００６】
上記紙葉類判別装置は、処理対象である紙葉類の判別内容によって異なるため、判別内容に対応したハードウェアとそのハードウェアに対応したソフトウェア従来が準備され、紙葉類の券種変更などの際には、変更の必要なパラメータを変更する方法が用いられていた（例えば、特許文献１参照。）。
【特許文献１】特願２００２−３３１６２０号公報  （第１頁、図３）
【発明の開示】
【発明が解決しようとする課題】
【０００７】
しかしながら、特許文献１記載の紙葉類処理装置では、券種変更などの際には、判別パラメータの変更で対応できる範囲を超える変更の場合は、対応するハードウェアを新規に作成する必要があった。
【０００８】
本発明は、上記問題を解決するためになされたもので、券種変更などの際には、判別パラメータの変更に限らず、対応する変更前のソフトウェア及びハードウェアの変更を可能にする紙葉類処理装置を提供することを目的とする。
【課題を解決するための手段】
【０００９】
上記目的を達成するために、本発明の請求項１記載の紙葉類処理装置は、複数券種の紙葉類が一括して供給された供給部から一定の間隔で１枚ずつ取り出して搬送し、前記紙葉類を判別する紙葉類判別手段と、この紙葉類判別手段による判別結果に基づいて前記紙葉類を区分処理する紙葉類処理装置であって、前記紙葉類判別手段は、上位装置から送信される前記紙葉類の券種情報を受信する通信制御手段と、この通信制御手段によって受信された前記券種情報に基づいて前記紙葉類を検知するハードウェアを生成する第１のプログラム生成データ及び当該ハードウェアを制御する第２のプログラムが含まれる検知構成データを記憶する第１の記憶手段と、前記通信手段及び前記記憶手段を制御し、前記通信手段によって受信した前記券種情報に基づいて前記第１の記憶手段から当該券種情報に基づく前記検知構成データを選択し、この検知構成データを送信する第１の制御手段と、この第１の制御手段が送信する前記検知構成データを受信し、この受信データを展開して前記紙葉類を検知する検知手段と、を備えたことを特徴とする。
【発明の効果】
【００１０】
本発明によれば、上記問題を解決するためになされたもので、券種変更などの際には、判別パラメータの変更に限らず、対応する変更前のソフトウェア及びハードウェアの変更を可能にする紙葉類処理装置を提供することを目的とする。
【発明を実施するための最良の形態】
【００１１】
以下、図面を参照して本発明の実施例を説明する。
【実施例１】
【００１２】
図１は、本発明の実施例による紙葉類判別装置１９を備えた紙葉類処理装置１００の概略構成図である。図２は、図１に示す紙葉類判別装置１９の構成を示す。図３は、図２に示す紙葉類判別装置１９の動作を説明するためのブロック図である。以下図１から図３を参照して紙葉類処理装置１００を説明する。
【００１３】
紙葉類処理装置１００は、操作部５５０及び紙葉類処理機１で構成されている。
【００１４】
操作部５５０は、紙葉類処理機１で行う業務内容の指示、その指示された業務内容に基づく取引内容の指定、及び紙葉類処理機１での取引結果を入手し、その入手結果を図示していない上位システムに送信する。本紙葉類処理装置は、オフラインで使用するのも可能である、そのときには上位システムには接続しないで使用する。
【００１５】
操作部５５０には、入力部５５１及び操作表示部５５２が備えられており、処理する紙葉類の種類（券種）、紙葉類を正損判別するための正損判別レベル、集積又は施封する券種指定などを操作員が設定することが可能である。
【００１６】
入力部５５１は、キーボード又はマウスが接続されており、データの入力に用いられる。
【００１７】
操作表示部５５２は、操作員に対して紙葉類処理機１を操作する操作の案内を行うと共に、入力されたデータを表示して操作員が確認できるようにしてある。
【００１８】
紙葉類処理機１は、インターフェース５０１を介して操作部５５０に接続されている。以下、紙葉類処理機１の構成を紙葉類Ｐを供給する供給部１０から順に説明する。
【００１９】
供給部１０は、供給台１１を有しており、この供給台１１に紙葉類Ｐをセットし、取出し開始釦（図示しない）をオンすると、取出ローラ５に押圧された状態になっている紙葉類Ｐは、取出ローラ５が回転することにより一定間隔を有して紙葉類Ｐの最先端の紙葉類から順に１枚ずつ取り出される。
【００２０】
搬送路１６ａは、搬送面に対して対向するベルトで紙葉類Ｐを複数箇所挟持する。この搬送ベルトを掛け回した搬送ローラを駆動することによって紙葉類Ｐを搬送する。
【００２１】
分岐ゲートＧ１は、例えば、排除券と、処理券とに振り分けるゲートである。排除券とは、紙葉類判別装置（紙葉類判別手段）１９で紙葉類Ｐを判別した結果、紙葉類Ｐが偽券、又は折れ、破れ及びスキューなどにより判別のできない「判別不能券」と判別された紙葉類Ｐをいう。この判別結果を搬送制御部２６が受信すると、分岐ゲートＧ１を右側（時計方向）に回動することにより、当該排除券を排除券集積装置３０に集積する。
【００２２】
また、処理券とは、紙葉類判別装置１９で判別された紙葉類Ｐが真券で正券、又は真券で損券をいう。搬送制御部２６は、その判別結果を受信すると、分岐ゲートＧ１を左側（反時計方向）に回動して、当該紙葉類Ｐを区分処理する。
【００２３】
反転処理部９は、表裏反転機能を有し、紙葉類Ｐの取り揃える方向により紙葉類の表裏を反転する。分岐ゲートＧ２は、表裏反転分岐ゲートである。紙葉類判別装置１９で判別された紙葉類Ｐの搬送方向の判別結果に基づき、表裏反転を必要とする場合に左側（時計方向）に回動し、紙葉類Ｐを図示矢印Ａ６で示す表裏反転部９を通過させる。また、表裏反転を必要としない場合、分岐ゲートＧ２を、右側に回動し、紙葉類Ｐを図示矢印Ａ４で示す方向に搬送させる。例えば搬送方向が裏正（ＢＦ）の場合、表裏反転部９によって反転されて表正（ＦＦ）になる。
【００２４】
分岐ゲートＧ３は、搬送される紙葉類Ｐを搬送路１６ａから施封装置４０、又は集積部５０に分岐する分岐ゲートである。搬送される紙葉類Ｐが操作部５５０によって施封するように指定された券種の場合、搬送制御部２６は、分岐ゲートＧ３を右側（時計方向）に回動し、紙葉類Ｐを施封装置４０が設けられている図示矢印Ａ７の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００２５】
施封装置４０及び集積装置５０には、紙葉類Ｐが搬送される搬送路から分離するために搬送路の終端に紙葉類Ｐを集積する羽根車集積装置が設けられている。
【００２６】
この羽根車集積装置は、例えば、集積装置５７の場合、羽根車５７ａ、一時集積庫５７ｂ、シャッター５７ｃ、カセット５７ｅ、及び集積を補佐するプッシャ（図示しない）などで構成される。
【００２７】
羽根車５７ａは、複数の羽根が回転軸の周辺に組み込まれており、搬送されてきた紙葉類Ｐを羽根と羽根の間で受け取れるように紙葉類Ｐの搬送に同期して回転している。この羽根車５７ａを使用することによって、高速に搬送される紙葉類Ｐの運動エネルギーを吸収し、かつ紙葉類Ｐを整位しながら一時集積庫５７ｂに集積する。
【００２８】
集積装置５７で使用される一時集積庫５７ｂには、シャッター５７ｃが備えられており、このシャッター５７ｃの上に紙葉類Ｐが集積される。そして、このシャッター５７ｃに集積された紙葉類Ｐは、例えば満杯になったとき、又は業務終了指示（図示しない）などがあると、シャッター５７ｃが開き、シャッター５７ｃ下部に設けられた集積庫としてのカセット５７ｅに設けられたバックアッププレート５７ｄの上に落下する。
【００２９】
施封装置４０は、第１集積部４２、第２集積部４３、搬送部４４、紙帯部４６、帯送り部４７、帯巻部４８を有する。本実施例では、施封装置４０が、上記第１集積部４２、第２集積部４３を有している場合を説明するが、必要に応じてこれら２個の集積部を対にして複数セット用いてもよい。
【００３０】
第１集積部４２及び第２集積部４３は、共に同様に構成されているため、第１集積部４２についてその構成を説明し第２集積部４３の説明を省略する。
【００３１】
第１集積部４２には、施封搬送路４０ａから紙葉類を分岐する分岐ゲートＧ１２、振り分けられた紙葉類Ｐを搬送する搬送路４０ｂ、搬送路４０ｂの終端から送り出された紙葉類を受け取る羽根車４２ａ、この羽根車４２ａによって受け取られた紙葉類Ｐを集積する一時集積庫４２ｂ、集積された紙葉類Ｐを押圧するプッシャー（図示しない）が設けられている。以下、施封装置４０の各部構成について説明する。
【００３２】
一時集積庫４２ｂは、搬送される紙葉類Ｐを計数し１００枚に達すると、続けて搬送される紙葉類Ｐを一時集積庫４３ｂに集積させるために切り替えゲートＧ１２及びＧ１３を切り替える。その後、この一時集積庫４２ｂに集積された１００枚紙葉類Ｐｂの施封を行う。以下この施封動作を説明する。
【００３３】
一時集積庫４２ｂに集積された１００枚紙葉類は、搬送キャリア４４に渡される。搬送キャリア４４は、図示矢印で示す縦搬送及び横搬送され、帯巻部４８に１００枚紙葉類Ｐｂを渡す。
【００３４】
この搬送キャリア４４から渡された１００枚紙葉類Ｐｂは、紙帯部４６から供給された紙帯４６ａが帯送り部４７で送られ帯巻部４８に達すると、帯巻部４８はこの紙帯を用いて上記１００枚紙葉類の所定部位を帯び巻きする。このようにして帯び巻された１００枚紙葉類からなる把Ｈが形成される。
【００３５】
帯巻部４８で形成された把Ｈは、把集積装置６３のカセット６３ｄに収納される。このカセット６３ｄに収納される方法は、シャッター６３ｃ及び把集積装置６３の入口の扉が開き、把Ｈをカセット６３ｄに入れ、その上から押込み棒（図示しない）で中に押込む。このようにして集積された把Ｈの様子が図１に示してある。
【００３６】
図２は、図１に示す紙葉類判別装置１９の構成を示す。紙葉類判別装置１９には、主検知制御部２０及び複数の検知ユニットが備えられている。
【００３７】
主検知制御部２０は、紙葉類判別装置全体を制御する第１の制御手段としてのMＣＰＵ（Main  Central  Processing  Unit）２０ａ、第１の記憶手段としての記憶部２０ｂ、通信制御手段としての通信制御部２０ｃが備えられており、紙葉類を検知する検知手段としての検知ユニット２１、２２、、、と通信可能に構成され、各検知ユニットから送信された検知結果に基づき当該紙葉類を総合的に判別する。
【００３８】
検知ユニット（検知手段）２１、２２、、、は、例えば搬送される紙葉類Ｐの形状を検知する形状検知ユニット、紙葉類表面の色及び模様から券種を検知する券種検知ユニット、紙葉類の正損を検知する正損検知ユニット、紙葉類の印刷インクの磁性体を検知する磁気検知ユニット、インクの蛍光などを検知する蛍光検知ユニット、紙葉類の厚さを検知する厚さ検知ユニットなどで構成される。
【００３９】
また、この主検知制御部２０は、主制御部５００と接続されている。主制御部５００は、操作部５５０に接続されている。従って、操作員がこの操作部５５０から処理する処理券種を入力すると、この入力された券種情報に基づいて使用する処理基板、この処理基板に適用するハードウェアを構築するＦＰＧＡ（Field Programmable Gate Array）のデータ、及びこのハードウェアを利用するソフトウェア情報が記憶部２０ｂから適用する処理基板に送信される。
【００４０】
例えば、日本紙幣を処理する指定が操作員によって行われると、４券種（千円、２千円、５千円、万円）の形状検知データが形状検知ユニット、券種検知データ、正損検知データ、磁気検知データ、蛍光検知データ及び厚さ検知データなどが適用する処理基板に送信される。
【００４１】
各検知ユニット２１、２２、、、のＳＣＰＵ（Sub Central Processing Unit）は、主検知制御部２０から受信した検知構成データを処理基板に備えられた記憶部のそれぞれ指定されたエリアに保存する。
【００４２】
なお、上記各検知ユニット２１、２２、、、の検知構成データは、ＭＣＰＵ２０ａが管理する記憶部２０ｂに格納されているため、各検知ユニットを構成するＳＣＰＵ２１ａ、、、が記憶部２０ｂを参照できる構成にしてもよい。このような構成にすることによって、ＭＣＰＵ２０ａからＳＣＰＵ２１ａ、、、に対する送信を行う必要がなく、高速に処理が可能になる。しかしながらこの方法は、ＭＣＰＣのデータバスを延長することになるため、各検知ユニットの処理基板とＭＣＰＵ２０ａの位置が通信可能な位置に配置されていることが条件となる。従って、主検知制御部２０と検知ユニット２１、、、の距離が通信可能な位置を越えて長くなる場合には、後述する通信制御部２０ｃを通して通信することになる。本発明はこの何れにも対応可能に構成されている。
【００４３】
説明を簡単にするために、例えば形状検知ユニットが検知ユニット２１に相当し、券種検知ユニットが検知ユニット２２に相当する場合を仮定して説明する。
【００４４】
検知ユニット２１の入出力部を通して形状を検知するためのセンサＡ２１ｅに接続される。このセンサＡ２１ｅは、紙葉類Ｐの搬送方向と直行する方向に配置されたＣＣＤ（Charge Coupled Device：電荷結合素子）を有し、紙葉類Ｐ１が通過した際の透過光を撮像する。この撮像されたデータは処理基板Ａによって取込まれる。
【００４５】
処理基板Ａには、この処理基板の処理を行う第２の制御手段としてのＳＣＰＵ２１ａ、ＳＣＰＵ２１ａの動作を司る第２の記憶手段としての記憶部２１ｂ、ＳＣＰＵ２１ａの制御の下で動作するハードウェアを構成するハードウェア手段としてのＦＰＧＡ２１ｃ及び必要に応じて主検知制御部２０と通信可能な通信制御部２１ｄを備えている。
【００４６】
ＳＣＰＵ（第２の制御手段）２１ａは、図示矢印Ａ１方向に搬送される紙葉類Ｐ１に関する透過光をセンサＡ２１ｅで取込んだ形状検知データを演算処理するＣＰＵである。
【００４７】
記憶部２１ｂには、電源オンなどの初期状態においてＳＣＰＵ２１ａが動作するのに必要なブートプログラムと、主検知制御部２０によって与えられる形状検知プログラム、ＦＰＧＡ２１ｃの形状検知ハードウェアログラム及び形状検知判別パラメータが保存される。
【００４８】
ＦＰＧＡ２１ｃには、上記形状検知ハードウェアプログラムがダウンロードされる。
【００４９】
通信制御部２１ｄは、上述したように検知ユニット２１の処理基板ＡとＭＣＰＵ２０ａの位置が通信可能な位置に配置されていない場合に有効である。この場合には例えば通信手段としてＬＡＮ回線を使用する場合やＵＳＢ通信で可能な場合など、その環境における通信時間と通信量によって判断される。
【００５０】
検知ユニット２２は、検知ユニット２１同様に構成されている。例えば、この検知ユニット２２において券種検知を行う場合を例に説明する。
【００５１】
ＳＣＰＵ（第２の制御手段）２２ａは、搬送される紙葉類Ｐ２の表面又は裏面の、反射光及び透過光をセンサ２２ｅで取り込んだ券種検知データを演算処理するＣＰＵである。
【００５２】
記憶部（第２の記憶手段）２２ｂには、電源オンなどの初期状態においてＳＣＰＵ２２ａが動作するのに必要なブートプログラムと、主検知制御部２０から送信される券種検知プログラム、ＦＰＧＡ２２ｃの券種検知ハードウェアプログラム及び券種検知判別プログラムが保存される。
【００５３】
ＦＰＧＡ２２ｃには、上記券種検知ハードウェアプログラムがダウンロードされる。
【００５４】
通信制御部２２ｄは、形状検知ユニットの通信制御部２１ｄと同様に使用されるため、その説明を省略する。
【００５５】
同様に、紙葉類を処理する処理内容に応じて検知ユニットが複数用いられて紙葉類判別装置が構成される。
【００５６】
このように構成された各検知ユニットによる検知結果は、バス１９ａを通して主検知制御部に送信される。
【００５７】
主検知制御部２０のＭＣＰＵ２０ａは、各検知ユニット２１、２２、、、から受信した検知データに基づいて総合判別を行う。例えば、形状検知の場合は、当該紙葉類Ｐ１の幅、長さ、傾き、破れ、切れの大きさの値が受信されるので、それらの値が券種ごとに設定された基準値内であるかどうかが判別される。また、上述して券種検知の場合は、当該紙葉類Ｐ２の表面及び裏面の色又はパターンが処理する券種に一致するかどうか判別する。この判別方法は、パターンマッチング法などよく知られている技術を用いて行うことが可能である、本発明の目的とするところではないのでその説明を省略する。
【００５８】
図３は、紙葉類判別装置１９の主制御部５００、主検知制御部２０及び検知ユニット２１の動作を説明するブロック図である。ここでは、説明を簡単にするため、検知ユニット２１が一個接続されている場合を示してある。
【００５９】
このように構成された紙葉類判別装置において、紙葉類判別装置内部のハードウェア及び検知内容を変更する場合を想定する。これは、例えば本装置が紙幣を区分処理する装置の場合にあって、改券などが行われ、紙葉類判別装置のハードウェア及びその処理を大幅に変更する場合が発生した場合に相当する。
【００６０】
最初に、操作員によって、改券に相当する券種情報が主制御部５００から主検知制御部２０の通信制御部２０ｃを介して通知される。
【００６１】
次に、主検知制御部２０のＭＣＰＵ２０ａは、主制御部５００から送信された券種情報を記憶部２０ｂに保存し、当該保存された券種情報に基づき、各検知ユニットでの検知プログラム、検知ハードウェアを構成するＦＰＧＡプログラム（検知ＨＷ・ＦＰＧＡプログラム）及び検知パラメータで構成された検知構成データを選択する。
【００６２】
次に、このようにして検知ユニットごとに選択された構成データを各検知ユニットに送信する。
【００６３】
次に、各検知ユニットは、主検知制御部２０から送信された検知構成データを当該検知ユニットの対応するメモリエリアに保存する。
【００６４】
例えば、上述同様検知ユニット２１が形状検知ユニットの場合、主検知制御部２０の記憶部２０ｂに格納されている形状検知プログラムは検知ユニット２１の記憶部２１ｂ１のＳＣＰＵプログラムエリアに格納され、形状検知プログラムとして用いられる。また、形状検知ＨＷ・ＦＰＧＡプログラムは、記憶部２１ｂ２のＦＰＧＡプログラムエリアに格納され、形状検知用ＦＰＧＡプログラムとして用いられる。さらに形状検知パラメータは、記憶部２１ｂ２の判別パラメータエリアに格納され、形状検知判別パラメータとして用いられる。
【００６５】
次に、ＳＣＰＵは、ＦＰＧＡ２１ｃにアクセスし、ＦＰＧＡプログラムを転送又は記憶部２１ｂ２のＦＰＧＡプログラムエリアをＦＰＧＡ２１ｃがアクセスできるようにメモリアクセス権の切り替えを行う。この操作によって、ＦＰＧＡによるハードウェアの再構築が行われる。この結果、ＦＰＧＡは形状検知用のハードウェアとして機能するようになる。
【００６６】
同様の処理が他の検知ユニットに対しても行われる。全ての処理が終了すると、紙葉類処理装置は、稼動可能な状態になる。
【００６７】
次に、紙葉類処理装置の開始スイッチ（図示しない）がオンされ、紙葉類Ｐの取り出しが開始される。例えば、紙葉類Ｐが形状検知センサ２１ｅによって検知されると、検知された出力信号は、センサ処理回路２１ｆに出力される。形状検知センサ２１ｅによって検知された形状信号は、上述したように紙葉類Ｐの透過光をＣＣＤなどの撮像素子で検知したアナログ信号であり、このアナログ信号をセンサ処理回路２１ｆに出力する。
【００６８】
センサ処理回路２１ｆは、形状検知センサ２１ｅから入力されたアナログ信号をＡ／Ｄ変換器（Analog to Digital converter）によりデジタルデータに変換する。
【００６９】
このＡ／Ｄ変換されたデジタルデータは、ＳＣＰＵ２１ａの記憶部２１ｂ１に構築された形状検知プログラムによって演算され、上述した当該紙葉類Ｐの幅、長さ、傾き、破れ及び切れなどが検知される。
【００７０】
また、この検知されたデータが形状検知パラメータで与えられる判別レベルと比較される。判別レベルと比較されたデータは、ＳＣＰＵ２１ａによって主検知制御部２０に送信される。
【００７１】
主検知制御部２０は、液状検知ユニット２１からの検知結果とその他の検知ユニットからの検知結果を基にして総合判別を行う。このようにして判別された検知結果は、主制御部５００に送信される。
【００７２】
主制御部５００は、主検知制御部２０からの検知結果を搬送制御部に送信する。搬送制御部は、この判別結果基づいて区分先を設定するのは、上述した通りである。
【００７３】
以上述べたように本発明によれば、改券などの場合に設定パラメータの変更に留まらず、ハードウェアの変更及びそのハードウェアを用いた処理内容の変更までも主制御部からの指示によって容易に変更できる。この方法によれば、第１国向けに設定した紙葉類処理装置を第２国向けに変更することも容易に可能である。
【図面の簡単な説明】
【００７４】
【図１】本発明の実施例による紙葉類判別装置１９を備えた紙葉類処理装置の概略構成図。
【図２】図１に示す紙葉類判別装置１９の構成図。
【図３】紙葉類判別装置１９の主制御部５００、主検知制御部２０及び検知ユニット２１の動作を説明するブロック図である。
【符号の説明】
【００７５】
Ｈ  把
Ｐ、Ｐ１、Ｐ２  紙葉類
Ｇ１〜Ｇ８  分岐ゲート
１  紙葉類処理機
１０  供給部
１６  搬送路
１９  紙葉類判別装置
２０  主検知制御部
２０ａ  ＭＣＰＵ
２０ｂ  記憶部
２１、２２検知ユニット
２１ａ、２２ａ  ＳＣＰＵ
２１ｂ、２２ｂ  記憶部
２１ｃ、２２ｃ  ＦＰＧＡ
１００  紙葉類処理装置
【図１】
2008123285.tif 000003
【図２】
2008123285.tif 000004
【図３】
2008123285.tif 000005